(57)【特許請求の範囲】
【請求項１】
断熱パネル（１０）と、この断熱パネル（１０）の表面（１１）に固定される、複数本のバー部材（２０）とよりなる、建築用断熱材の製造方法であって、
金型などの成形型により、所定の厚みを有して上下方向に長い方形状で、表面（１１）が滑らかな平坦面をなし、その表面（１１）に、横方向に間隔をあけて上下方向に相互に平行に延びる横断面コ字状の複数の凹溝（１２）を形成し、それらの凹溝（１２）の相対向する両内側面（１２ａ，１２ａ）には、それらの幅方向の中間部に、それらの縦方向に間隔をあけて、その長手方向に沿って一列に列設される複数の突条片（１３1 ）をそれぞれ膨出形成した、発泡合成樹脂製の前記断熱パネル（１０）を一体成形する第１工程と、
前記複数の凹溝（１２）内に、それぞれ前記横断面四角なバー部材（２０）を、前記複数の突条片（１３1 ）を圧潰しながら押し込んで、それらの突条片（１３1 ）を塑性変形させ、前記バー部材（２０）の両側面（２０ａ，２０ａ）を凹溝（１２）の両内側面（１２ａ，１２ａ）に嵌込み固定し、またバー部材（２０）の内面（２０ｂ）を凹溝（１２）の内底面（１２ｂ）に衝接させ、バー部材（２０）の外側部を断熱パネル（１０）の表面（１１）より外部に突出させ、断熱パネル（１０）の表面（１１）からバー部材（２０）の外面（２０ｃ）までの高さ（Ｈ）を一定とする第２工程、
とを含むことを特徴とする、建築用断熱材の製造方法。
【請求項２】
前記凹溝（１２）の内底面（１２ｂ）と、これに対向するバー部材（２０）の内面（２０ｂ）とを接着剤（ｊ）を介して接着することを特徴とする、前記請求項１記載の建築用断熱材の製造方法。
【発明の詳細な説明】
【技術分野】
【０００１】
本発明は、建物の断熱材として使用される、建築用断熱材の製造方法に関する。
【背景技術】
【０００２】
従来、建築用断熱材を、建物の断熱材として使用する場合に、その断熱材を、合成樹脂製の断熱パネルと、その一面に設けた複数の溝に固定した下地建材（バー部材）とより構成して、その下地建材の外面に内装材などの壁材を固定するようにしたものが知られている（後記特許文献１参照）。
【０００３】
また、建築用断熱材として使用される発泡合成樹脂製の断熱パネルは、発泡ブロックを適宜の厚さに、熱線、ノコギリなどで切断スライス加工して製作するのが一般的である。    
【先行技術文献】
【特許文献】
【０００４】
【特許文献１】特許第４５８３３１１号公報
【発明の概要】
【発明が解決しようとする課題】
【０００５】
ところで、前記特許文献１に示される建築用断熱材は、断熱パネルの一面に一対の溝を形成し、それらの溝に、横断面門型に形成される下地建材の一対の差込脚部を差込固定して構成されるので、下地建材を横断面門型に形成する必要がある上に、一対の溝の幅寸法と、一対の差込脚部の幅寸法とを一定に設定する必要があって、製作コストが嵩むという問題がある。
【０００６】
また、発泡ブロックから断熱パネルを作る場合には、発泡ブロックから断熱パネルを切断したり、溝を切削加工したりするときに、熱線の接触や、ノコギリの刃の厚さ、切断スピードの経時的な違いなどで、精度の高い断熱パネルを作るのが難しく、その上、切断面や、溝の加工面には、ザラつきがあるため、下地建材を完全に接着させるための養生時間が長くなって、これが生産性向上の妨げの要因になっているという問題がある。
【０００７】
本発明は、かかる実情に鑑みてなされたものであり、凹溝を有する発泡合成樹脂製の断熱パネルを、金型などの成形型により一体成形すると共にバー部材により、その凹溝の左右内側面に膨出成形した、複数の突条片を圧潰して塑性変形させることにより、下地建材となるバー部材を凹溝に嵌合固定して、高精度の断熱材を、低コストで製作できるようにした、新規な、建築用断熱材の製造方法を提供することを目的とする。
【課題を解決するための手段】
【０００８】
上記目的を達成するために、請求項１記載の発明は、断熱パネルと、この断熱パネルの表面に固定される、複数本のバー部材とよりなる、建築用断熱材の製造方法であって、
金型などの成形型により、所定の厚みを有して上下方向に長い方形状で、表面が滑らかな平坦面をなし、その表面に、横方向に間隔をあけて上下方向に相互に平行に延びる横断面コ字状の複数の凹溝を形成し、それらの凹溝の相対向する両内側面には、それらの幅方向の中間部に、それらの縦方向に間隔をあけて、その長手方向に沿って一列に列設される複数の突条片をそれぞれ膨出形成した、発泡合成樹脂製の前記断熱パネルを一体成形する第１工程と、
前記複数の凹溝内に、それぞれ前記横断面四角なバー部材を、前記複数の突条片を圧潰しながら押し込んで、それらの突条片を塑性変形させ、前記バー部材の両側面を凹溝の両内側面に嵌込み固定し、またバー部材の内面を凹溝の内底面に衝接させ、バー部材の外側部を断熱パネルの表面より外部に突出させ、断熱パネルの表面からバー部材の外面までの高さを一定とする第２工程、
とを含むことを第１の特徴としている。
【０００９】
上記目的を達成するために、請求項２記載の発明は、前記請求項１記載の建築用断熱材の製造方法おいて、前記凹溝の内底面と、これに対向するバー部材の内面とを接着剤を介して接着することを第２の特徴としている。
【発明の効果】
【００１０】
本発明の第１の特徴によれば、複数の凹溝を有する断熱パネルを成形型により一体成形したので、その表面にザラつきの無いスキン層を成形できると共に高精度の凹溝を成形することができ、また凹溝の両内側面には、それらの幅方向の中間部に、それらの縦方向に間隔をあけて、その長手方向に沿って一列に列設される複数の突条片をそれぞれ膨出形成したので、断熱パネルの表面に、一定の高さを有するバー部材を、接着剤によらずに高精度に固定した断熱材を得ることができ、バー部材の外面に内装材、外装材などの壁材を精確に固定することができ、その壁材の取付精度を向上させることができ、高精度の断熱材を簡単容易に製造することができる。
【００１１】
また、凹溝とバー部材とを、それらの接触面の全面にわたり接着剤を塗布して固定しようとすれば、完全に接着するまで長い養生期間が必要となり、生産性が劣るという不都合があるが、この第１の特徴によれば、前記養生期間が省略されて生産性の大幅な向上を図ることができ、さらに接着剤の省略によりコストダウンを図ることができる。
【００１２】
また、本発明の第２の特徴によれば、凹溝の内底面と、これに対向するバー部材の内面とは接着剤を介して接着されるので、断熱パネルに対するバー部材の固定強度を一層高めることができる。
【図面の簡単な説明】
【００１３】
【図１】建築用断熱材の斜視図（第１実施形態）
【図２】図１の２矢視の建築用断熱材の正面図（第１実施形態）
【図３】図１の３矢視の建築用断熱材の裏面図（第１実施形態）
【図４】図２の４−４線に沿う拡大断面図（第１実施形態）
【図５】建築用断熱材の分解斜視図（第１実施形態）
【図６】図５の６−６線に沿う拡大断面図（第１実施形態）
【図７】断熱材の使用状態の斜視図（第１実施形態）
【図８】断熱パネルの図４に対応する断面図（第２実施形態）
【発明を実施するための形態】
【００１４】
以下、本発明の実施の形態を、添付図面を参照して、以下に具体的に説明する。
【００１５】
図１〜７は、本発明の第１実施形態を示すものであり、建築用断熱材は、断熱パネル１０と、この断熱パネル１０の表面１１に固定される複数本のバー部材２０…とより構成される。
【００１６】
前記断熱パネル１０は、軽量であるポリスチレン、ポリウレタンなどの硬質の発泡合成樹脂製であって、建物の断熱材または建物のコンクリート躯体成形のための型枠として使用されるべく、所定の厚みを有して上下方向に長い方形状に形成されており、その寸法精度を高め、かつ外面を滑らかな高精度の平坦面に仕上げるべく、この実施形態では、断熱パネル１０は、成形型としての金型などの成形型により一体に成形される。
【００１７】
そして、断熱パネル１０を成形型により一体成形することにより、断熱パネル１０の寸法精度を高めることができる上に、その外面には、ザラつきのない平滑なスキン層を形成することができる。
【００１８】
図５，６に示すように、前記断熱パネル１０の表面１１および裏面１５は平坦面に成形され、この断熱パネル１０の表面１１（建物の断熱材として使用する場合、室内側の面）には、横方向に間隔をあけて上下方向の相互に平行に延びる横断面コ字状の複数条の凹溝１２が成形される。各凹溝１２の相対向する両内側面１２ａ、１２ａの幅方向の中間部には、その凹溝１２の長手方向に沿って突条１３、１３がそれぞれ一体に膨出成形される。前記突条１３，１３は、図５に示すように、凹溝１２の各内側面の幅方向の中間部に、その縦方向に沿い、間隔をあけて列設される複数の突条片１３1 …よりなる。
【００１９】
図３に示すように、前記断熱パネル１０の裏面１５は、平行に並列される多数の、縦、横リブ１６，１７と、それらのリブ１６，１７間に形成される多数の四角な凹部１８を有して格子状に形成されている。そして、この断熱パネル１０をコンクリート躯体成形時の型枠として兼用するとき、この格子状の裏面を、コンクリート打設空間側に対面させることで、この断熱パネル１０と、躯体となるコンクリートとの結合強度を高めることができる。
【００２０】
一方、前記バー部材２０は、木材、硬質の合成樹脂材などにより、横断面四角な棒体に形成されている。
【００２１】
図５，６に示すように、バー部材２０の長さ２０Ｌは、断熱パネル１０の上下方向の長さ１２Ｌと、略同じであり、また、バー部材２０の横幅（左右幅）２０Ｄは、凹溝１２の横幅１２Ｄと略等しく、また、突条１３，１３間の間隔１２Ｄ′よりも大きくされ、さらに、バー部材２０の縦幅（前後幅）２０Ｈは、前記凹溝１２の深さ（奥行）１２Ｈよりも長く形成されている。
【００２２】
本発明にかかる建築用断熱材は、前記断熱パネル１０の複数の凹溝１２…に、前記バー部材２０をそれぞれ押し込んで嵌込み密に固定して構成される。この場合、それらを固定するための、ビス、釘などの固定具を必要としない。
【００２３】
金型成形された断熱パネル１０の表面１１の複数の凹溝１２…内には、それぞれバー部材２０が嵌込み固定される。図５，６に示すように、各凹溝１２の開口面に、バー部材２０の内面２０ｂを対面させて、このバー部材２０を、凹溝１２に向けて矢印方向に平行移動させ、バー部材２０を凹溝１２に押し込んで嵌込み固定する。このとき、バー部材２０の左右側面２０ａ，２０ａは、凹溝１２の左右内側面１２ａ，１２ａに形成されている突条１３、すなわち複数の突条片１３1 …を圧潰して塑性変形させ、またバー部材２０の内面２０ｂを凹溝１２の内底面１２ｂに衝接させてバー部材２０を、凹溝１２に緊密に固定することができる。
【００２４】
図４に示すように、各バー部材２０の外側部分は、断熱パネル１０の表面１１より外方に突出されて、本発明にかかる建築用断熱材が構成される。
【００２５】
而して、断熱パネル１０の表面１１は、平坦なスキン層よりなり、また断熱パネル１０の複数の凹溝１２…には、複数のバー部材２０…が、それぞれ高精度に嵌込み固定されることにより、断熱パネル１０の表面１１から複数のバー部材２０の外面までの高さＨを精確に一定とすることができる。
【００２６】
図７には、本発明にかかる断熱材を、建物の断熱壁として使用した場合が示される。
【００２７】
裏面１５にコンクリート躯体Ｓが一体結合される断熱パネル１０の表面１１の複数のバー部材２０…の外面には、内装下地材、内装材などの壁材３０が接着される。このとき、断熱パネル１０の表面１１からバー部材２０の外面２０ｃまでの高さＨは、前述したように一定であるので、内装材などの壁材３０は、バー部材２０により一定の高さを存して断熱パネル１０に固定され、前記高さＨの寸法は、断熱パネル１０の表面１１とバー部材１２により精確に規制され、断熱壁に対する壁材３０の固定精度を高めることができる。そして、前記高さＨの間隙は、通信線などに線材３２の挿通スペース、換気用などのエアの流通スペースとして利用される。コンクリート躯体Ｓの外面には外装材３１が接合される。
【００２８】
なお、この第１実施形態における断熱材は、コンクリートの打設用の型枠に兼用されるもので、コンクリート躯体Ｓを成形するための型枠として利用され、コンクリートの打設後は、解体することなくコンクリート躯体Ｓに接合したまま建物の断熱壁として利用される。
【００２９】
つぎに、図８を参照して、本発明の第２実施形態について説明する。
【００３０】
この第２実施形態において、前記第１実施形態と同じものには同じ符号が付される。
【００３１】
この第２実施形態は、断熱パネル１０の凹溝１２に、バー部材２０を押し込み嵌込む際に、断熱パネル１０の内底面１２ｂと、バー部材２０の内面２０ｂとを接着剤ｊを介して一体に接着するようにする。
【００３２】
而して、この第２実施形態では、断熱パネル１０と、バー部材２０との結合が一層強固となる。
【００３３】
以上、本発明の実施形態について説明したが、本発明はその実施形態に限定されることなく、本発明の範囲内で種々の実施形態が可能である。
【００３４】
たとえば、前記実施形態では、本発明のかかる断熱材を、コンクリート躯体に接合される型枠兼用の断熱パネルに、バー部材を固定して構成しているが、その断熱材を、木材、合成樹脂材など他の建物躯体に接合される断熱パネルにバー部材を固定して構成してもよく、さらに、その断熱材を、天井壁など他の壁体としての断熱パネルにバー部材を固定して構成してもよい。
【符号の説明】
【００３５】
１０・・・・・・断熱パネル
１１・・・・・・表面
１２・・・・・・凹溝
１２ａ・・・・・内側面
１２ｂ・・・・・内底面
１３・・・・・・突条
１３1 ・・・・・突条片
２０・・・・・・バー部材
２０ａ・・・・・側面
２０ｂ・・・・・内面
２０ｃ・・・・・外面
Ｈ・・・・・・・高さ
ｊ・・・・・・接着剤
【図１】
0005745454.tif 000002
【図２】
0005745454.tif 000003
【図３】
0005745454.tif 000004
【図４】
0005745454.tif 000005
【図５】
0005745454.tif 000006
【図６】
0005745454.tif 000007
【図７】
0005745454.tif 000008
【図８】
0005745454.tif 000009